(57)【要約】【課題】前面パネルを閉じた状態において、前面パネルの上部中央付近が室内機本体から離れることを抑止する。【解決手段】前面パネル１０ｂの裏面１０ｓの上端部には、長手方向の中央付近にパネル係合部２３が設けられている。パネル係合部２３は、前面グリル１０ａの仕切壁１１に設けられた本体係合部１１ｂに係合する。前面パネル１０ｂの閉動作時に、パネル係合部２３が本体係合部１１ｂによって室内機本体９０側に引き込まれ、前面パネル１０ｂの閉状態において、パネル係合部２３が本体係合部１１ｂに係合している。そのため、閉状態では、前面パネル１０ｂの左右方向中央付近の上端部が、室内機本体９０に引き寄せられ、前面パネル１０ｂと前面グリル１０ａとの間に隙間が殆ど形成されない。よって、空調室内機１００の外観が好ましい。【選択図】図８
2014070762.tif 000002
【特許請求の範囲】
【請求項１】
室内機本体と、
前記室内機本体に対して開閉可能な前面パネルとを備えた空調室内機であり、
前記前面パネルは、
前記室内機本体の長手方向両端部の上部近傍に配置された一対の支持部を中心に回転可能であり、
前記一対の支持部間に配置され且つ閉状態において前記室内機本体の上部に設けられた本体係合部に係合するパネル係合部を有していることを特徴とする空調室内機。
【請求項２】
前記室内機本体は、閉状態において前記前面パネルの裏面に対向する表示部を含んだ電装品箱を有しており、
前記本体係合部が、前記電装品箱に設けられていることを特徴とする請求項１に記載の空調室内機。
【請求項３】
前記前面パネルは、その裏面に形成され且つ前記電装品箱の位置決めを行う位置決め部を有していること特徴とする請求項２に記載の空調室内機。
【請求項４】
前記本体係合部及び前記パネル係合部の係合面の少なくとも一方は、閉状態において後方に向かって下方向に傾斜した傾斜面であることを特徴とする請求項１〜３のいずれか１項に記載の空調室内機。
【請求項５】
前記本体係合部及び前記パネル係合部の係合面は、いずれも前記傾斜面であることを特徴とする請求項４に記載の空調室内機。
【発明の詳細な説明】
【技術分野】
【０００１】
本発明は、空調室内機に関する。
【背景技術】
【０００２】
空調室内機として、ケーシングと、ケーシング内に収納された熱交換器及び室内ファンとを備えたものが知られている（特許文献１の図１等）。ケーシングは、一般的に、前面グリルと、前面グリルの前面を覆う前面パネルとを有している。前面パネルは、前面グリルの長手方向両端部の上部近傍に配置された一対の支持部によって支持され、支持部を中心に回転することで前面グリルに対して開閉可能となっている。
【先行技術文献】
【特許文献】
【０００３】
【特許文献１】特開２０１１−２０８８２６号公報
【発明の概要】
【発明が解決しようとする課題】
【０００４】
ところで、前面パネルは、樹脂成型されているため、熱収縮等によって変形しやすい。変形した前面パネルを前面グリルに対して閉じると、前面パネルの長手方向中央付近の上部が前面グリルから遠ざかるように膨らんで撓むことがある。前面パネルが撓んだ部分では、前面グリルと前面パネルとの間に大きな隙間が形成されるので、外観上、好ましくない。
【０００５】
そこで、本発明は、前面パネルを閉じた状態において、前面パネルの長手方向中央付近の上部が室内機本体から離れることを抑止できる空調室内機を提供することを目的とする。
【課題を解決するための手段】
【０００６】
第１の発明に係る空調室内機は、室内機本体と、前記室内機本体に対して開閉可能な前面パネルとを備えた空調室内機であり、前記前面パネルは、前記室内機本体の長手方向両端部の上部近傍に配置された一対の支持部を中心に回転可能であり、前記一対の支持部間に配置され且つ閉状態において前記室内機本体の上部に設けられた本体係合部に係合するパネル係合部を有している。
【０００７】
この空調室内機では、前面パネルの閉状態において、前面パネルのパネル係合部が室内機本体の上部に設けられた本体係合部に係合するので、前面パネルの長手方向中央付近の上部が室内機本体から離れることを抑止できる。よって、前面パネルの閉状態において、空調室内機の外観上の問題を解消することができる。
【０００８】
第２の発明に係る空調室内機は、第１の発明において、前記室内機本体は、閉状態において前記前面パネルの裏面に対向する表示部を含んだ電装品箱を有しており、前記本体係合部が、前記電装品箱に設けられている。
【０００９】
この空調室内機では、前面パネルの閉状態において、パネル係合部が電装品箱に設けられた本体係合部に係合するので、前面パネルを電装品箱に近接させることができる。そして、前面パネルに電装品箱の表示部を外部に視認させる窓部が設けられている場合は、窓部を表示部に近接させることができる。これにより、表示部の光を室内機外部に鮮明に表示することができる。
【００１０】
第３の発明に係る空調室内機は、第２の発明において、前記前面パネルは、その裏面に形成され且つ前記電装品箱の位置決めを行う位置決め部を有している。
【００１１】
この空調室内機では、前面パネルの裏面に位置決め部が設けられているため、前面パネルの閉動作時に、上記位置決め部によって前面パネルの窓部と電装品箱の表示部との位置合わせを行うことができる。
【００１２】
第４の発明に係る空調室内機は、第１〜３の発明において、前記本体係合部及び前記パネル係合部の係合面の少なくとも一方は、閉状態において後方に向かって下方向に傾斜した傾斜面である。
【００１３】
この空調室内機では、前面パネルの閉動作時に、パネル係合部を傾斜した係合面に沿って室内機内部へ誘導することができる。
【００１４】
第５の発明に係る空調室内機は、第１〜第４の発明において、前記本体係合部及び前記パネル係合部の係合面は、いずれも前記傾斜面である。
【００１５】
この空調室内機では、前面パネルの閉動作時に、本体係合部の傾斜面（係合面）とパネル係合部の傾斜面（係合面）とが面同士で接触する。これにより、前面パネルの閉動作時に力を分散させることができるので、接触部の一部に力が集中するのを抑止できる。
【発明の効果】
【００１６】
以上の説明に述べたように、本発明によれば、以下の効果が得られる。
【００１７】
第１の発明では、前面パネルの閉状態において、前面パネルの長手方向中央付近の上部が室内機本体から離れることを抑止できるので、空調室内機の外観を好ましくすることができる。
【００１８】
第２の発明では、前面パネルの閉状態において、前面パネルの窓部を電装品箱の表示部に近接させることができるので、表示部の光を室内機外部に鮮明に表示することができる。
【００１９】
第３の発明では、前面パネルの閉動作時に、前面パネルの裏面に設けられた位置決め部によって、前面パネルの窓部と電装品箱の表示部との位置合わせを行うことができる。
【００２０】
第４の発明では、前面パネルの閉動作時に、パネル係合部を傾斜した係合面に沿って室内機内部へ誘導することができる。
【００２１】
第５の発明では、本体係合部とパネル係合部との係合面がいずれも傾斜面であるので、前面パネルの閉動作時に力を分散させることができる。よって、係合面の一部に力が集中するのを抑止できる。
【図面の簡単な説明】
【００２２】
【図１】本発明の実施形態に係る空調室内機の斜視図である。
【図２】空調室内機の断面図であり、図１のII−II線に沿った図である。
【図３】前面パネルを取り外した状態における空調室内機の斜視図である。
【図４】図３の本体係合部及び電装品箱周辺を示す拡大図である。
【図５】前面パネルを正面側からみた斜視図である。
【図６】前面パネルの背面図である。
【図７】前面パネルの閉状態における電装品箱周辺の概略断面図を示しており、（ａ）は本発明の実施形態に係る空調室内機の断面図であり、（ｂ）は従来の空調室内機の断面図である。
【図８】前面パネルの閉動作を順に示す概略断面図である。
【発明を実施するための形態】
【００２３】
以下に、本発明の実施形態について、図１〜８を参照しつつ説明する。
【００２４】
（空調室内機の全体構成）
空調室内機１００は、図１，２に示すように、壁掛けタイプであり、本体ケーシング１０と、本体ケーシング１０の内部に配置された熱交換器２０、室内ファン３０、フィルタ４０、電装品箱５０及び底フレーム６０とを備えている。また、空調室内機１００にはリモコンが付属されており、ユーザーがリモコン等を操作することによって、空調室内機１００の操作を行うことができる。
【００２５】
本体ケーシング１０は、図１，２に示すように、前面グリル１０ａと、前面グリル１０ａの前面側を覆う前面パネル１０ｂと、前面グリル１０ａの後端部に配置された取付板１０ｃとを有している。また、本体ケーシング１０の上部には吸込口７０が設けられ、下部には吹出口８０が形成されている。そして、本実施形態では、前面グリル１０ａと、その内部に配置された熱交換器２０、室内ファン３０、フィルタ４０、電装品箱５０、及び底フレーム６０とによって、室内機本体９０が構成されている（図２，３参照）。
【００２６】
（前面グリル）
前面グリル１０ａは、図３に示すように、略直方体状に形成されており、前面側に、仕切壁１１によって仕切られた２つの開口１２，１３が形成されている。２つの開口１２，１３は、左右方向に右から順に並んで配置され、内部にフィルタ４０が収納されている。また、前面グリル１０ａの左右両端部の上部近傍には、前面パネル１０ｂを支持する一対の支持部１４ａ，１４ｂが設けられている。支持部１４ａ，１４ｂは他方の支持部に向かって凹んだ凹部となっており、支持部１４ａ，１４ｂには、図６に示す前面パネル１０ｂの突出部１５ａ，１５ｂが嵌まる。
【００２７】
図３に示すように、仕切壁１１は、前面グリル１０ａの後上部から前面側まで延在した前面部１１ａと、前面部１１ａの下方に配置された本体係合部１１ｂとを有している。本体係合部１１ｂは、本体ケーシング１０の上部に位置し、図４に示すように、前面部１１ａよりやや前方に配置されている。これにより、前面部１１ａと本体係合部１１ｂとの間には隙間１１ｃが形成されている（図７参照）。ここで、図４の拡大図に示すように、本体係合部１１ｂの上面（係合面）１１ｓは、後方に向かって（空調室内機１００の内部に向かって）下方向に傾斜した傾斜面となっている（図７参照）。そして、前面パネル１０ｂを前面グリル１０ａに対して閉じたときに、図５に示すように、本体係合部１１ｂには、前面パネル１０ｂの裏面１０ｓに設けられたパネル係合部２３が係合する（図５，６に示す「パネル係合部２３」参照）。
【００２８】
（前面パネル）
図１に戻って、前面パネル１０ｂは、本体ケーシング１０の前面を覆う部材であり、前面グリル１０ａの左右両端部に設けられた一対の支持部１４ａ，１４ｂによって支持されている。これにより、前面パネル１０ｂは、支持部１４ａ，１４ｂを中心に前面グリル１０ａに対して回動自在となっており、ヒンジ式に動作することができる。なお、本実施形態では、空調室内機１００の長手方向を左右方向としている。また、前面パネル１０ｂは、樹脂成型されている。
【００２９】
前面パネル１０ｂの裏面１０ｓには、図５，６に示すように、左右方向の略中央付近に、室内機本体９０に向かって突出したパネル係合部２３が設けられている。ここで、図５には、パネル係合部２３等の位置関係を示しており、室内機本体９０のうち仕切壁１１及び電装品箱５０を除く部品を省略している。
【００３０】
パネル係合部２３は、図６に示すように、前面パネル１０ｂの裏面１０ｓの上端部に設けられ、前面パネル１０ｂの左右両端部に設けられた突出部１５ａ，１５ｂ間に位置している。また、パネル係合部２３は、前面パネル１０ｂの閉状態において、図７（ａ）に示すように、前面パネル１０ｂの裏面１０ｓから離れるように斜め下方に延在した後、室内機本体９０に向かって突出するように屈曲している。これにより、パネル係合部２３は、全体として本体係合部１１ｂ（前面グリル１０ａに設けられた本体係合部１１ｂ）に向かって凸状となるように緩やかに屈曲している。また、パネル係合部２３の下面（係合面）２３ｓは、後方に向かって下方向に傾斜した傾斜面となっている。なお、図７（ａ）は電装品箱５０周辺の空調室内機１００の断面図を示しており、図５のVIIA-VIIA線に沿った図である。
【００３１】
また、図５，６に示すように、前面パネル１０ｂの裏面１０ｓには、右上部に、窓部２４，２５，２６が右から順に設けられている。また、窓部２４，２５，２６の左右両側には位置決め部２７，２８が設けられている。窓部２４，２５，２６は、図５に示すように、室内機本体９０の電装品箱５０に対向する位置に配置され、電装品箱５０の表示部５１から発光される光を空調室内機１００の外部から視認できるようにするものである。表示部５１は、後述するように、リモコン受信部５２と運転表示部５３と人検知部５４ａ，５４ｂとを有しており、窓部２４，２５，２６のうち、窓部２４はリモコン受信部５２に臨み、窓部２５（２５ａ，２５ｂ，２５ｃ，２５ｄ）は運転表示部５３に臨み、窓部２６は人検知部５４ａ，５４ｂに臨む。また、位置決め部２７，２８は、電装品箱５０の左右両端に配置され、図６に示すように、室内機本体９０に向かって突出している。２つの位置決め部２７，２８のうち右側の位置決め部２７は、図５に示すように、前面パネル１０ｂの閉状態において、電装品箱５０の左側面の右方に配置され、電装品箱５０の右側面に接する。一方、左側の位置決め部２８は、電装品箱５０の左側面の左方に配置され、電装品箱５０の左側面に接する（図７参照）。
【００３２】
（本体ケーシング内部の構成）
図２に戻って、前面グリル１０ａと前面パネル１０ｂと底フレーム６０とによって立体空間が形成されており、その立体空間に、熱交換器２０、室内ファン３０、フィルタ４０及び電装品箱５０が配置されている。
【００３３】
熱交換器２０は、側面視において両端が下方に向かって屈曲した逆Ｖ字状に形成され、底フレーム６０に取り付けられている。熱交換器２０では、通過する空気との間で熱交換が行われる。
【００３４】
室内ファン３０は、熱交換器２０の下方に配置され、室内から取り込んだ空気を、熱交換器２０に当てて通過させた後、室内に吹き出す。
【００３５】
フィルタ４０は、本体ケーシング１０の前面パネル１０ｂと熱交換器２０との間に配置され、熱交換器２０に向かって流入してくる空気に含まれる塵埃を除去する。
【００３６】
電装品箱５０は、フィルタ４０の前方に配置されている。また、電装品箱５０は、図３に示すように、室内機本体９０の右部に配置され、前面グリル１０ａに固定されている。
【００３７】
図４に示すように、電装品箱５０には表示部５１が設けられており、表示部５１には、リモコンからの指令を受信するリモコン受信部５２と、運転状態を表示する運転表示部５３と、人の存在を検知する人検知部５４ａ，５４ｂとが右方から順に設けられている。運転表示部５３は、右側から順に配置された４つの表示部５３ａ，５３ｂ，５３ｃ，５３ｄによって構成されている。
【００３８】
次に、前面パネル１０ｂを前面グリル１０ａに対して閉じた状態について、図７を参照しつつ説明する。図７には、電装品箱周辺（空調室内機の前上部周辺）の部分断面図を示しており、図７（ａ）には本実施形態の空調室内機１００の部分断面図を示し、図７（ｂ）には従来の空調室内機２００の部分断面図を示している。なお、図７では、断面を示すハッチングを一部省略している。また、図７では、室内機本体９０，２９０の内部を省略して図示している。
【００３９】
（前面パネルの閉状態）
<従来>
図７（ｂ）に示す従来の前面パネル２１０ｂは、本実施形態の前面パネル１０ｂと同様に、樹脂成型されているため、熱収縮等で変形しやすい。前面パネル２１０ｂが熱収縮した状態で前面グリル２１０ａに対して閉じられると、図７（ｂ）に示すように、上部が室内機本体２９０から遠ざかるように膨らんで撓む。そのため、前面パネル２１０ｂの上部と前面グリル２１０ａとの間の隙間２１０ｃが大きくなり、外観上、好ましくない。
【００４０】
また、前面パネル２１０ｂが室内機本体２９０の電装品箱２５０から遠ざかるため、前面パネル２１０ｂの窓部２２４を電装品箱２５０の表示部２５１に近づけることができない。その結果、表示部２５１から発光される光が周囲に漏れ、空調室内機２００外部から表示部２５１の光を読み取ることができない。
【００４１】
<本実施形態>
本実施形態では、図７（ａ）に示すように、前面パネル１０ｂの閉状態において、パネル係合部２３が本体係合部１１ｂに係合することにより、前面パネル１０ｂの左右方向中央付近の上端部が、室内機本体９０に引き寄せられる。その結果、前面パネル１０ｂの左右方向中央付近の上端部と前面グリル１０ａとの間に、隙間が殆ど形成されない。したがって、前面パネル１０ｂが熱収縮等によって変形しても、前面パネル１０ｂの閉状態において、従来の空調室内機２００で生じた外観上の問題を解決できる。
【００４２】
また、前面パネル１０ｂの左右方向中央付近の上端部が室内機本体９０側に引き寄せられることによって、前面パネル１０ｂは電装品箱５０に近接して配置される。そのため、前面パネル１０ｂの窓部２５ｄと、図５に示す窓部２４，２５ａ〜２５ｃ，２６が電装品箱５０の表示部５１に近接して配置される（図５参照）。これにより、表示部５１から発光される光が、周囲に漏れることなく、窓部２４，２５，２６を通じて空調室内機２００外部に発せられる。よって、空調室内機２００外部から表示部５１の光を鮮明に読み取ることができる。
【００４３】
続いて、本実施形態の前面パネル１０ｂの閉動作時について、図８を参照しつつ説明する。なお、図８では、図７と同様に、前面パネル１０ｂに断面を示すハッチングを付し、その他のハッチングを省略している。また、図８では、室内機本体９０の内部を省略して示している。
【００４４】
（前面パネルの閉動作時）
前面パネル１０ｂが閉じられるとき、図８に示すように、パネル係合部２３の下面２３ｓが本体係合部１１ｂの上面１１ｓに接する。ここで、パネル係合部２３の下面２３ｓ及び本体係合部１１ｂの上面１１ｓは、いずれも傾斜しているため、パネル係合部２３は、前面部１１ａと本体係合部１１ｂとの間の隙間１１ｃを通って室内機本体９０側へ滑らかに引き込まれる。また、パネル係合部２３の下面２３ｓ及び本体係合部１１ｂの上面１１ｓが面同士で接触し、一点だけで部分接触しないので、力が分散され一部に集中しない。
【００４５】
また、図５に示すように、前面パネル１０ｂの裏面に設けられた２つの位置決め部２７，２８が電装品箱５０の左右両側に配置されることによって、前面パネル１０ｂの窓部２４，２５，２６を表示部５１（リモコン受信部５２，運転表示部５３、人検知部５４ａ，５４ｂ）に対して左右方向に位置決めできる。これにより、前面パネル１０ｂが閉状態となったときに、窓部２４はリモコン受信部５２に対向し、窓部２５は運転表示部５３に対向し、窓部２６は人検知部５４ａ，５４ｂに対向して配置される。
【００４６】
（本実施形態の空調室内機の特徴）
前面パネル１０ｂの閉状態において、パネル係合部２３が室内機本体９０の上部に設けられた本体係合部１１ｂに係合するので、前面パネル１０ｂの左右方向中央付近の上部が室内機本体９０から離れることを抑止できる。よって、前面パネル１０ｂの閉状態において、空調室内機１００の外観が好ましい。
【００４７】
また、前面パネル１０ｂの裏面１０ｓに位置決め部２７，２８が設けられているため、前面パネル１０ｂの閉動作時に、位置決め部２７，２８を電装品箱５０の左右側面に合わせることにより、前面パネル１０ｂの窓部２４をリモコン受信部５２に対向させ、窓部２５を運転表示部５３に対向させ、窓部２６を人検知部５４ａ，５４ｂに対向して配置させることができる。これにより、表示部５１の光を空調室内機１００の外部に鮮明に表示することができる。
【００４８】
さらに、前面グリル１０ａの本体係合部１１ｂの上面１１ｓ及び前面パネル１０ｂのパネル係合部２３の下面２３ｓは、前面パネル１０ｂの閉状態において、後方に向かって下方向に傾斜した傾斜面を有している。これにより、前面パネル１０ｂの閉動作時に、パネル係合部２３を上記傾斜面に沿って空調室内機２００内部へ誘導することができる。また、本体係合部１１ｂの斜面とパネル係合部２３の斜面とが面同士で接触し、一点だけで部分接触しないので、閉動作時に力が分散され、一部に集中しない。
【００４９】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００５０】
例えば、前面グリル１０ａに設けられた本体係合部１１ｂと、前面パネル１０ｂに設けられたパネル係合部２３とが係合する構成は、上述の実施形態に示す構成に限られない。具体的には、上述の実施形態では、パネル係合部２３が本体係合部１１ｂに向かって凸となるように緩やかに屈曲することで本体係合部１１ｂに係合する構成となっているが、本体係合部１１ｂとパネル係合部２３とが係合する形状であると、上記形状に限られない。
【００５１】
また、上述の実施形態では、前面グリル１０ａの仕切壁１１に本体係合部１１ｂが設けられているが、本体係合部１１ｂは仕切壁１１に設けられる場合に限られない。例えば、本体係合部１１ｂは、電装品箱５０に設けられてもよい。この場合、前面パネル１０ｂの閉状態において、パネル係合部２３が電装品箱５０に設けられた本体係合部に係合するので、前面パネル１０ｂの窓部２４，２５，２６を電装品箱５０の表示部５１に近接して配置することができる。これにより、表示部５１（リモコン受信部５２、運転表示部５３、人検知部５４ａ，５４ｂ）の光を空調室内機１００外部により鮮明に表示することができる。
【００５２】
さらに、上述の実施形態では、前面パネル１０ｂの裏面に２つの位置決め部２７，２８が設けられているが、前面パネル１０ｂに位置決め部２７，２８が設けられなくてもよい。また、位置決め部２７，２８の形状、位置及び数等は、変更可能であり、前面パネル１０ｂに１つの位置決め部だけが設けられてもよい。
【００５３】
加えて、上述の実施形態では、本体係合部１１ｂの上面１１ｓ及びパネル係合部２３の下面２１ｓのいずれもが、後方に向かって下方向に傾斜した傾斜面となっているが、いずれかの面だけが後方に向かって下方向に傾斜した傾斜面であってもよい。また、いずれの面も傾斜していない構成でもよい。
【００５４】
また、上述の実施形態では、パネル係合部２３が、前面パネル１０ｂの裏面１０ｓ上端部において、左右方向の略中央付近に設けられているが、パネル係合部２３が本体係合部１１ｂに係合する位置に配置される限り、パネル係合部２３の位置は変更可能である。
【産業上の利用可能性】
【００５５】
本発明を利用すれば、前面パネルを閉じた状態において空調室内機の外観を好ましくできる構成を提供できるため、空調室内機に有用である。
【符号の説明】
【００５６】
１０ａ，２１０ａ            前面グリル
１０ｂ，２１０ｂ            前面パネル
１０ｓ                      裏面
１１ｂ                      本体係合部
１１ｓ                      上面（係合面）
１４ａ，１４ｂ              支持部
２３                        パネル係合部
２３ｓ                      下面（係合面）
２４，２５，２６，２２４    窓部
２７，２８                  位置決め部
５０，２５０                電装品箱
５１，２５１                表示部
９０，２９０                室内機本体
１００，２００              空調室内機
【図１】
2014070762.tif 000003
【図２】
2014070762.tif 000004
【図３】
2014070762.tif 000005
【図４】
2014070762.tif 000006
【図５】
2014070762.tif 000007
【図６】
2014070762.tif 000008
【図７】
2014070762.tif 000009
【図８】
2014070762.tif 000010
【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
室内機本体と、
前記室内機本体に対して開閉可能な前面パネルとを備えた空調室内機であり、
前記前面パネルは、
前記室内機本体の長手方向両端部の上部近傍に配置された一対の支持部を中心に回転可能であり、
前記一対の支持部間に配置され且つ閉状態において前記室内機本体の上部に設けられた本体係合部に係合するパネル係合部を有しており、
前記前面パネルが閉じられるときに、前記本体係合部の上面と前記パネル係合部の下面とが接触して前記パネル係合部が前記室内機本体側に引き込まれることを特徴とする空調室内機。
【請求項２】
前記パネル係合部が、前記前面パネルの裏面から離れるように延在した後、室内機本体に向かって突出するように屈曲していることを特徴とする請求項１に記載の空調室内機。
【請求項３】
前記本体係合部及び前記パネル係合部の係合面の少なくとも一方は、閉状態において後方に向かって下方向に傾斜した傾斜面であることを特徴とする請求項１または２に記載の空気調和機。
【請求項４】
前記本体係合部及び前記パネル係合部の係合面は、いずれも前記傾斜面であることを特徴とする請求項３に記載の空気調和機。
【請求項５】
前記室内機本体は、閉状態において前記前面パネルの裏面に対向する表示部を含んだ電装品箱を有しており、
前記本体係合部が、前記電装品箱に設けられていることを特徴とする請求項１〜４のいずれか１項に記載の空調室内機。
【請求項６】
前記前面パネルは、その裏面に形成され且つ前記電装品箱の位置決めを行う位置決め部を有していること特徴とする請求項５に記載の空調室内機。
【手続補正２】
【補正対象書類名】明細書
【補正対象項目名】全文
【補正方法】変更
【補正の内容】
【発明の詳細な説明】
【技術分野】
【０００１】
本発明は、空調室内機に関する。
【背景技術】
【０００２】
空調室内機として、ケーシングと、ケーシング内に収納された熱交換器及び室内ファンとを備えたものが知られている（特許文献１の図１等）。ケーシングは、一般的に、前面グリルと、前面グリルの前面を覆う前面パネルとを有している。前面パネルは、前面グリルの長手方向両端部の上部近傍に配置された一対の支持部によって支持され、支持部を中心に回転することで前面グリルに対して開閉可能となっている。
【先行技術文献】
【特許文献】
【０００３】
【特許文献１】特開２０１１−２０８８２６号公報
【発明の概要】
【発明が解決しようとする課題】
【０００４】
ところで、前面パネルは、樹脂成型されているため、熱収縮等によって変形しやすい。変形した前面パネルを前面グリルに対して閉じると、前面パネルの長手方向中央付近の上部が前面グリルから遠ざかるように膨らんで撓むことがある。前面パネルが撓んだ部分では、前面グリルと前面パネルとの間に大きな隙間が形成されるので、外観上、好ましくない。
【０００５】
そこで、本発明は、前面パネルを閉じた状態において、前面パネルの長手方向中央付近の上部が室内機本体から離れることを抑止できる空調室内機を提供することを目的とする。
【課題を解決するための手段】
【０００６】
第１の発明に係る空調室内機は、室内機本体と、前記室内機本体に対して開閉可能な前面パネルとを備えた空調室内機であり、前記前面パネルは、前記室内機本体の長手方向両端部の上部近傍に配置された一対の支持部を中心に回転可能であり、前記一対の支持部間に配置され且つ閉状態において前記室内機本体の上部に設けられた本体係合部に係合するパネル係合部を有しており、前記前面パネルが閉じられるときに、前記本体係合部の上面と前記パネル係合部の下面とが接触して前記パネル係合部が前記室内機本体側に引き込まれる。
【０００７】
この空調室内機では、前面パネルの閉状態において、前面パネルのパネル係合部が室内機本体の上部に設けられた本体係合部に係合するので、前面パネルの長手方向中央付近の上部が室内機本体から離れることを抑止できる。よって、前面パネルの閉状態において、空調室内機の外観上の問題を解消することができる。
第２の発明に係る空調室内機は、第１の発明において、前記パネル係合部が、前記前面パネルの裏面から離れるように延在した後、室内機本体に向かって突出するように屈曲している。
【０００８】
【０００９】
【００１０】
【００１１】
【００１２】
第３の発明に係る空調室内機は、第１または第２の発明において、前記本体係合部及び前記パネル係合部の係合面の少なくとも一方は、閉状態において後方に向かって下方向に傾斜した傾斜面である。
【００１３】
この空調室内機では、前面パネルの閉動作時に、パネル係合部を傾斜した係合面に沿って室内機内部へ誘導することができる。
【００１４】
第４の発明に係る空調室内機は、第３の発明において、前記本体係合部及び前記パネル係合部の係合面は、いずれも前記傾斜面である。
【００１５】
この空調室内機では、前面パネルの閉動作時に、本体係合部の傾斜面（係合面）とパネル係合部の傾斜面（係合面）とが面同士で接触する。これにより、前面パネルの閉動作時に力を分散させることができるので、接触部の一部に力が集中するのを抑止できる。
第５の発明に係る空調室内機は、第１〜第４の発明において、前記室内機本体は、閉状態において前記前面パネルの裏面に対向する表示部を含んだ電装品箱を有しており、前記本体係合部が、前記電装品箱に設けられている。
この空調室内機では、前面パネルの閉状態において、パネル係合部が電装品箱に設けられた本体係合部に係合するので、前面パネルを電装品箱に近接させることができる。そして、前面パネルに電装品箱の表示部を外部に視認させる窓部が設けられている場合は、窓部を表示部に近接させることができる。これにより、表示部の光を室内機外部に鮮明に表示することができる。
第６の発明に係る空調室内機は、第５の発明において、前記前面パネルは、その裏面に形成され且つ前記電装品箱の位置決めを行う位置決め部を有している。
この空調室内機では、前面パネルの裏面に位置決め部が設けられているため、前面パネルの閉動作時に、上記位置決め部によって前面パネルの窓部と電装品箱の表示部との位置合わせを行うことができる。
【発明の効果】
【００１６】
以上の説明に述べたように、本発明によれば、以下の効果が得られる。
【００１７】
第１の発明では、前面パネルの閉状態において、前面パネルの長手方向中央付近の上部が室内機本体から離れることを抑止できるので、空調室内機の外観を好ましくすることができる。
【００１８】
【００１９】
【００２０】
第３の発明では、前面パネルの閉動作時に、パネル係合部を傾斜した係合面に沿って室内機内部へ誘導することができる。
【００２１】
第４の発明では、本体係合部とパネル係合部との係合面がいずれも傾斜面であるので、前面パネルの閉動作時に力を分散させることができる。よって、係合面の一部に力が集中するのを抑止できる。
第５の発明では、前面パネルの閉状態において、前面パネルの窓部を電装品箱の表示部に近接させることができるので、表示部の光を室内機外部に鮮明に表示することができる。
第６の発明では、前面パネルの閉動作時に、前面パネルの裏面に設けられた位置決め部によって、前面パネルの窓部と電装品箱の表示部との位置合わせを行うことができる。
【図面の簡単な説明】
【００２２】
【図１】本発明の実施形態に係る空調室内機の斜視図である。
【図２】空調室内機の断面図であり、図１のII−II線に沿った図である。
【図３】前面パネルを取り外した状態における空調室内機の斜視図である。
【図４】図３の本体係合部及び電装品箱周辺を示す拡大図である。
【図５】前面パネルを正面側からみた斜視図である。
【図６】前面パネルの背面図である。
【図７】前面パネルの閉状態における電装品箱周辺の概略断面図を示しており、（ａ）は本発明の実施形態に係る空調室内機の断面図であり、（ｂ）は従来の空調室内機の断面図である。
【図８】前面パネルの閉動作を順に示す概略断面図である。
【発明を実施するための形態】
【００２３】
以下に、本発明の実施形態について、図１〜８を参照しつつ説明する。
【００２４】
（空調室内機の全体構成）
空調室内機１００は、図１，２に示すように、壁掛けタイプであり、本体ケーシング１０と、本体ケーシング１０の内部に配置された熱交換器２０、室内ファン３０、フィルタ４０、電装品箱５０及び底フレーム６０とを備えている。また、空調室内機１００にはリモコンが付属されており、ユーザーがリモコン等を操作することによって、空調室内機１００の操作を行うことができる。
【００２５】
本体ケーシング１０は、図１，２に示すように、前面グリル１０ａと、前面グリル１０ａの前面側を覆う前面パネル１０ｂと、前面グリル１０ａの後端部に配置された取付板１０ｃとを有している。また、本体ケーシング１０の上部には吸込口７０が設けられ、下部には吹出口８０が形成されている。そして、本実施形態では、前面グリル１０ａと、その内部に配置された熱交換器２０、室内ファン３０、フィルタ４０、電装品箱５０、及び底フレーム６０とによって、室内機本体９０が構成されている（図２，３参照）。
【００２６】
（前面グリル）
前面グリル１０ａは、図３に示すように、略直方体状に形成されており、前面側に、仕切壁１１によって仕切られた２つの開口１２，１３が形成されている。２つの開口１２，１３は、左右方向に右から順に並んで位置され、内部にフィルタ４０が収納されている。また、前面グリル１０ａの左右両端部の上部近傍には、前面パネル１０ｂを支持する一対の支持部１４ａ，１４ｂが設けられている。支持部１４ａ，１４ｂは他方の支持部に向かって凹んだ凹部となっており、支持部１４ａ，１４ｂには、図６に示す前面パネル１０ｂの突出部１５ａ，１５ｂが嵌まる。
【００２７】
図３に示すように、仕切壁１１は、前面グリル１０ａの後上部から前面側まで延在した前面部１１ａと、前面部１１ａの下方に配置された本体係合部１１ｂとを有している。本体係合部１１ｂは、本体ケーシング１０の上部に位置し、図４に示すように、前面部１１ａよりやや前方に配置されている。これにより、前面部１１ａと本体係合部１１ｂとの間には隙間１１ｃが形成されている（図７参照）。ここで、図４の拡大図に示すように、本体係合部１１ｂの上面（係合面）１１ｓは、後方に向かって（空調室内機１００の内部に向かって）下方向に傾斜した傾斜面となっている（図７参照）。そして、前面パネル１０ｂを前面グリル１０ａに対して閉じたときに、図５に示すように、本体係合部１１ｂには、前面パネル１０ｂの裏面１０ｓに設けられたパネル係合部２３が係合する（図５，６に示す「パネル係合部２３」参照）。
【００２８】
（前面パネル）
図１に戻って、前面パネル１０ｂは、本体ケーシング１０の前面を覆う部材であり、前面グリル１０ａの左右両端部に設けられた一対の支持部１４ａ，１４ｂによって支持されている。これにより、前面パネル１０ｂは、支持部１４ａ，１４ｂを中心に前面グリル１０ａに対して回動自在となっており、ヒンジ式に動作することができる。なお、本実施形態では、空調室内機１００の長手方向を左右方向としている。また、前面パネル１０ｂは、樹脂成型されている。
【００２９】
前面パネル１０ｂの裏面１０ｓには、図５，６に示すように、左右方向の略中央付近に、室内機本体９０に向かって突出したパネル係合部２３が設けられている。ここで、図５には、パネル係合部２３等の位置関係を示しており、室内機本体９０のうち仕切壁１１及び電装品箱５０を除く部品を省略している。
【００３０】
パネル係合部２３は、図６に示すように、前面パネル１０ｂの裏面１０ｓの上端部に設けられ、前面パネル１０ｂの左右両端部に設けられた突出部１５ａ，１５ｂ間に位置している。また、パネル係合部２３は、前面パネル１０ｂの閉状態において、図７（ａ）に示すように、前面パネル１０ｂの裏面１０ｓから離れるように斜め下方に延在した後、室内機本体９０に向かって突出するように屈曲している。これにより、パネル係合部２３は、全体として本体係合部１１ｂ（前面グリル１０ａに設けられた本体係合部１１ｂ）に向かって凸状となるように緩やかに屈曲している。また、パネル係合部２３の下面（係合面）２３ｓは、後方に向かって下方向に傾斜した傾斜面となっている。なお、図７（ａ）は電装品箱５０周辺の空調室内機１００の断面図を示しており、図５のVIIA-VIIA線に沿った図である。
【００３１】
また、図５，６に示すように、前面パネル１０ｂの裏面１０ｓには、右上部に、窓部２４，２５，２６が右から順に設けられている。また、窓部２４，２５，２６の左右両側には位置決め部２７，２８が設けられている。窓部２４，２５，２６は、図５に示すように、室内機本体９０の電装品箱５０に対向する位置に配置され、電装品箱５０の表示部５１から発光される光を空調室内機１００の外部から視認できるようにするものである。表示部５１は、後述するように、リモコン受信部５２と運転表示部５３と人検知部５４ａ，５４ｂとを有しており、窓部２４，２５，２６のうち、窓部２４はリモコン受信部５２に臨み、窓部２５（２５ａ，２５ｂ，２５ｃ，２５ｄ）は運転表示部５３に臨み、窓部２６は人検知部５４ａ，５４ｂに臨む。また、位置決め部２７，２８は、電装品箱５０の左右両端に配置され、図６に示すように、室内機本体９０に向かって突出している。２つの位置決め部２７，２８のうち右側の位置決め部２７は、図５に示すように、前面パネル１０ｂの閉状態において、電装品箱５０の左側面の右方に配置され、電装品箱５０の右側面に接する。一方、左側の位置決め部２８は、電装品箱５０の左側面の左方に配置され、電装品箱５０の左側面に接する（図７参照）。
【００３２】
（本体ケーシング内部の構成）
図２に戻って、前面グリル１０ａと前面パネル１０ｂと底フレーム６０とによって立体空間が形成されており、その立体空間に、熱交換器２０、室内ファン３０、フィルタ４０及び電装品箱５０が配置されている。
【００３３】
熱交換器２０は、側面視において両端が下方に向かって屈曲した逆Ｖ字状に形成され、底フレーム６０に取り付けられている。熱交換器２０では、通過する空気との間で熱交換が行われる。
【００３４】
室内ファン３０は、熱交換器２０の下方に配置され、室内から取り込んだ空気を、熱交換器２０に当てて通過させた後、室内に吹き出す。
【００３５】
フィルタ４０は、本体ケーシング１０の前面パネル１０ｂと熱交換器２０との間に配置され、熱交換器２０に向かって流入してくる空気に含まれる塵埃を除去する。
【００３６】
電装品箱５０は、フィルタ４０の前方に配置されている。また、電装品箱５０は、図３に示すように、室内機本体９０の右部に配置され、前面グリル１０ａに固定されている。
【００３７】
図４に示すように、電装品箱５０には表示部５１が設けられており、表示部５１には、リモコンからの指令を受信するリモコン受信部５２と、運転状態を表示する運転表示部５３と、人の存在を検知する人検知部５４ａ，５４ｂとが右方から順に設けられている。運転表示部５３は、右側から順に配置された４つの表示部５３ａ，５３ｂ，５３ｃ，５３ｄによって構成されている。
【００３８】
次に、前面パネル１０ｂを前面グリル１０ａに対して閉じた状態について、図７を参照しつつ説明する。図７には、電装品箱周辺（空調室内機の前上部周辺）の部分断面図を示しており、図７（ａ）には本実施形態の空調室内機１００の部分断面図を示し、図７（ｂ）には従来の空調室内機２００の部分断面図を示している。なお、図７では、断面を示すハッチングを一部省略している。また、図７では、室内機本体９０，２９０の内部を省略して図示している。
【００３９】
（前面パネルの閉状態）
<従来>
図７（ｂ）に示す従来の前面パネル２１０ｂは、本実施形態の前面パネル１０ｂと同様に、樹脂成型されているため、熱収縮等で変形しやすい。前面パネル２１０ｂが熱収縮した状態で前面グリル２１０ａに対して閉じられると、図７（ｂ）に示すように、上部が室内機本体２９０から遠ざかるように膨らんで撓む。そのため、前面パネル２１０ｂの上部と前面グリル２１０ａとの間の隙間２１０ｃが大きくなり、外観上、好ましくない。
【００４０】
また、前面パネル２１０ｂが室内機本体２９０の電装品箱２５０から遠ざかるため、前面パネル２１０ｂの窓部２２４を電装品箱２５０の表示部２５１に近づけることができない。その結果、表示部２５１から発光される光が周囲に漏れ、空調室内機２００外部から表示部２５１の光を読み取ることができない。
【００４１】
<本実施形態>
本実施形態では、図７（ａ）に示すように、前面パネル１０ｂの閉状態において、パネル係合部２３が本体係合部１１ｂに係合することにより、前面パネル１０ｂの左右方向中央付近の上端部が、室内機本体９０に引き寄せられる。その結果、前面パネル１０ｂの左右方向中央付近の上端部と前面グリル１０ａとの間に、隙間が殆ど形成されない。したがって、前面パネル１０ｂが熱収縮等によって変形しても、前面パネル１０ｂの閉状態において、従来の空調室内機２００で生じた外観上の問題を解決できる。
【００４２】
また、前面パネル１０ｂの左右方向中央付近の上端部が室内機本体９０側に引き寄せられることによって、前面パネル１０ｂは電装品箱５０に近接して配置される。そのため、前面パネル１０ｂの窓部２５ｄと、図５に示す窓部２４，２５ａ〜２５ｃ，２６が電装品箱５０の表示部５１に近接して配置される（図５参照）。これにより、表示部５１から発光される光が、周囲に漏れることなく、窓部２４，２５，２６を通じて空調室内機２００外部に発せられる。よって、空調室内機２００外部から表示部５１の光を鮮明に読み取ることができる。
【００４３】
続いて、本実施形態の前面パネル１０ｂの閉動作時について、図８を参照しつつ説明する。なお、図８では、図７と同様に、前面パネル１０ｂに断面を示すハッチングを付し、その他のハッチングを省略している。また、図８では、室内機本体９０の内部を省略して示している。
【００４４】
（前面パネルの閉動作時）
前面パネル１０ｂが閉じられるとき、図８に示すように、パネル係合部２３の下面２３ｓが本体係合部１１ｂの上面１１ｓに接する。ここで、パネル係合部２３の下面２３ｓ及び本体係合部１１ｂの上面１１ｓは、いずれも傾斜しているため、パネル係合部２３は、前面部１１ａと本体係合部１１ｂとの間の隙間１１ｃを通って室内機本体９０側へ滑らかに引き込まれる。また、パネル係合部２３の下面２３ｓ及び本体係合部１１ｂの上面１１ｓが面同士で接触し、一点だけで部分接触しないので、力が分散され一部に集中しない。
【００４５】
また、図５に示すように、前面パネル１０ｂの裏面に設けられた２つの位置決め部２７，２８が電装品箱５０の左右両側に配置されることによって、前面パネル１０ｂの窓部２４，２５，２６を表示部５１（リモコン受信部５２，運転表示部５３、人検知部５４ａ，５４ｂ）に対して左右方向に位置決めできる。これにより、前面パネル１０ｂが閉状態となったときに、窓部２４はリモコン受信部５２に対向し、窓部２５は運転表示部５３に対向し、窓部２６は人検知部５４ａ，５４ｂに対向して配置される。
【００４６】
（本実施形態の空調室内機の特徴）
前面パネル１０ｂの閉状態において、パネル係合部２３が室内機本体９０の上部に設けられた本体係合部１１ｂに係合するので、前面パネル１０ｂの左右方向中央付近の上部が室内機本体９０から離れることを抑止できる。よって、前面パネル１０ｂの閉状態において、空調室内機１００の外観が好ましい。
【００４７】
また、前面パネル１０ｂの裏面１０ｓに位置決め部２７，２８が設けられているため、前面パネル１０ｂの閉動作時に、位置決め部２７，２８を電装品箱５０の左右側面に合わせることにより、前面パネル１０ｂの窓部２４をリモコン受信部５２に対向させ、窓部２５を運転表示部５３に対向させ、窓部２６を人検知部５４ａ，５４ｂに対向して配置させることができる。これにより、表示部５１の光を空調室内機１００の外部に鮮明に表示することができる。
【００４８】
さらに、前面グリル１０ａの本体係合部１１ｂの上面１１ｓ及び前面パネル１０ｂのパネル係合部２３の下面２３ｓは、前面パネル１０ｂの閉状態において、後方に向かって下方向に傾斜した傾斜面を有している。これにより、前面パネル１０ｂの閉動作時に、パネル係合部２３を上記傾斜面に沿って空調室内機２００内部へ誘導することができる。また、本体係合部１１ｂの斜面とパネル係合部２３の斜面とが面同士で接触し、一点だけで部分接触しないので、閉動作時に力が分散され、一部に集中しない。
【００４９】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００５０】
例えば、前面グリル１０ａに設けられた本体係合部１１ｂと、前面パネル１０ｂに設けられたパネル係合部２３とが係合する構成は、上述の実施形態に示す構成に限られない。具体的には、上述の実施形態では、パネル係合部２３が本体係合部１１ｂに向かって凸となるように緩やかに屈曲することで本体係合部１１ｂに係合する構成となっているが、本体係合部１１ｂとパネル係合部２３とが係合する形状であると、上記形状に限られない。
【００５１】
また、上述の実施形態では、前面グリル１０ａの仕切壁１１に本体係合部１１ｂが設けられているが、本体係合部１１ｂは仕切壁１１に設けられる場合に限られない。例えば、本体係合部１１ｂは、電装品箱５０に設けられてもよい。この場合、前面パネル１０ｂの閉状態において、パネル係合部２３が電装品箱５０に設けられた本体係合部に係合するので、前面パネル１０ｂの窓部２４，２５，２６を電装品箱５０の表示部５１に近接して配置することができる。これにより、表示部５１（リモコン受信部５２、運転表示部５３、人検知部５４ａ，５４ｂ）の光を空調室内機１００外部により鮮明に表示することができる。
【００５２】
さらに、上述の実施形態では、前面パネル１０ｂの裏面に２つの位置決め部２７，２８が設けられているが、前面パネル１０ｂに位置決め部２７，２８が設けられなくてもよい。また、位置決め部２７，２８の形状、位置及び数等は、変更可能であり、前面パネル１０ｂに１つの位置決め部だけが設けられてもよい。
【００５３】
加えて、上述の実施形態では、本体係合部１１ｂの上面１１ｓ及びパネル係合部２３の下面２１ｓのいずれもが、後方に向かって下方向に傾斜した傾斜面となっているが、いずれかの面だけが後方に向かって下方向に傾斜した傾斜面であってもよい。また、いずれの面も傾斜していない構成でもよい。
【００５４】
また、上述の実施形態では、パネル係合部２３が、前面パネル１０ｂの裏面１０ｓ上端部において、左右方向の略中央付近に設けられているが、パネル係合部２３が本体係合部１１ｂに係合する位置に配置される限り、パネル係合部２３の位置は変更可能である。
【産業上の利用可能性】
【００５５】
本発明を利用すれば、前面パネルを閉じた状態において空調室内機の外観を好ましくできる構成を提供できるため、空調室内機に有用である。
【符号の説明】
【００５６】
１０ａ，２１０ａ            前面グリル
１０ｂ，２１０ｂ            前面パネル
１０ｓ                      裏面
１１ｂ                      本体係合部
１１ｓ                      上面（係合面）
１４ａ，１４ｂ              支持部
２３                        パネル係合部
２３ｓ                      下面（係合面）
２４，２５，２６，２２４    窓部
２７，２８                  位置決め部
５０，２５０                電装品箱
５１，２５１                表示部
９０，２９０                室内機本体
１００，２００              空調室内機